(57)【要約】【課題】  根詰まりし難く、根に酸素や栄養が供給され易く、植物の生育、成長が促進されやすい植物栽培方法と植物栽培容器にセットして使用可能な成型培土を提供する。【解決手段】  主根張用の成型培土又は成型培土の外周が被覆材でカバーされた被覆成型培土の外側に副根張用の成型培土又は被覆成型培土が配置され、主根張用の成型培土で植物を栽培して生育、成長させて、その植物の根が副根張用の成型培土又は被覆成型培土まで展伸してから、主根張用の成型培土又は被覆成型培土を、副根張用の成型培土又は被覆成型培土の内側から取り除くか、又は副根張用の成型培土又は被覆成型培土を、主根張用の成型培土又は被覆成型培土の周囲から取り除くことにより、前記根を切断して当該根を刺激して新たな発根を促進させる。【選択図】図１
2014217383.tif 000002
【特許請求の範囲】
【請求項１】
植物栽培方法において、
主根張用の成型培土又は成型培土の外周が被覆材でカバーされた被覆成型培土の外側に副根張用の成型培土又は被覆成型培土が配置され、
主根張用の成型培土で植物を栽培して生育、成長させて、その植物の根が副根張用の成型培土又は被覆成型培土まで展伸してから、主根張用の成型培土又は被覆成型培土を、副根張用の成型培土又は被覆成型培土の内側から取り除くか、又は副根張用の成型培土又は被覆成型培土を、主根張用の成型培土又は被覆成型培土の周囲から取り除くことにより、前記根を切断して当該根を刺激して新たな発根を促進させる、
ことを特徴とする植物栽培方法。
【請求項２】
植物栽培方法において、
主根張用の成型培土又は成型培土の外周が被覆材でカバーされた被覆成型培土の外側に、副根張用の成型培土又は被覆成型培土が配置され、
前記主根張室用の成型培土又は被覆成型培土と副根張室用の成型培土又は被覆成型培土が仕切り材で仕切られ、主根張用の成型培土で植物を栽培して生育、成長させて、その植物の根が副根張用の成型培土又は被覆成型培土まで展伸してから、主根張用の成型培土又は被覆成型培土を、副根張り用の成型培土又は被覆成型培土の内側から取り除くか、又は副根張用の成型培土又は被覆成型培土を、主根張用の成型培土又は被覆成型培土の周囲から取り除くことにより、前記根を切断して当該根を刺激して新たな発根を促進させる、
ことを特徴とする植物栽培方法。
【請求項３】
植物栽培方法において、
副根張用の培土が成型培土又は被覆成型培土を二以上並べて形成され、その内側に主根張室用のバラの培土が収容され、
前記主根張室用の成型培土又は被覆成型培土で植物を栽培して生育、成長させ、その植物の根が前記服根張用の培土まで展伸してから、前記副根張用の成型培土又は被覆成型培土を取り除くことにより、前記根を切断して当該根を刺激して新たな発根を促進させる、
ことを特徴とする植物栽培方法。
【請求項４】
植物栽培方法において、
主根張室用の成型培土又は被覆成型培土の周囲に、副根張用のバラの培土が設けられ、
前記主根張用の成型培土又は被覆成型培土で植物を栽培して生育、成長させ、その植物の根が前記副根張室のバラの培土まで展伸してから、主根張室の成型培土又は被覆成型培土を副根張り室から取り除くことにより、又は、副根張り用のバラの培土を主根張り用の成型培土又は被覆培土の外周から取り除くことにより、前記根を切断して、当該根を刺激して新たな発根を促進させる、
ことを特徴とする植物栽培方法。
【請求項５】
請求項１から請求項４の植物栽培方法に使用できる成型培土であり、
成型培土がピートモス、赤土といった根張りに適した培土を単独で又は二種以上を混合してブロック状に成型された、
ことを特徴とする成型培土。
【請求項６】
請求項５記載の成型培土の外周が、被覆材でカバーされ、被覆材が通気性のある構造、又は材質製である、
ことを特徴とする成型培土。
【請求項７】
請求項５記載の成型培土の外周が、被覆材でカバーされ、被覆材が土中で分解する材質である、
ことを特徴とする成型培土。
【発明の詳細な説明】
【技術分野】
【０００１】
本発明は果菜、花卉類、植木といった各種植物（以下、これらをまとめて「植物」という）の栽培に使用する植物栽培方法と成型培土に関する。
【背景技術】
【０００２】
ナス、ピーマンなどの植物は、苗の時はポットで、定植後はプランター等で栽培されることがある。ポットやプランターで栽培した場合、植物の根は培土内で伸び、根同士が絡まりあって根詰まりを起こし易い。根詰まりは植物の生育を阻害する一因となるため、回避することが望まれる。
【０００３】
従来、根詰まりの解消を解決課題とするポットとして、育苗用紙製ポット（特許文献１）や紙製筒とトレイとからなる育苗器（特許文献２）などが提案されている。
【先行技術文献】
【特許文献】
【０００４】
【特許文献１】特開２００１−１３６８４０号公報
【特許文献２】特開２０００−２７０６８７号公報
【発明の概要】
【発明が解決しようとする課題】
【０００５】
前記特許文献１記載の育苗用紙製ポット及び特許文献２記載の育苗器は、いずれも伸びた根をポットや紙製筒の開口部から外に出し、その根を空気に触れさせることによって成長を止め（エアプルーニングし）、その根から出る新たな側根を元の根とは別の方向に成長させて培土中にまんべんなく分散させて根詰まりしにくくするものである。
【０００６】
前記両特許文献記載の発明は、紙製ポット内や紙製筒内にまんべんなく根を分散させることはできるが、結果的にポット内や筒内に広がる根の量が多くなるため、土中の酸素や栄養が不足し、果菜類の生育を阻害することがある。
【０００７】
本発明の解決課題は、定植後の植物栽培は勿論のこと、育苗（例えば、果樹の苗などの育苗）にも使用でき、いずれの場合も、根詰まりを防止でき、根に酸素や栄養が供給され易く、植物の生育、成長が促進される植物栽培方法と、植物栽培容器にセットして使用可能な成型培土を提供することにある。
【課題を解決するための手段】
【０００８】
本発明の植物栽培方法は、主根張用の成型培土又は成型培土の外周が被覆材でカバーされた被覆成型培土の外側に、副根張用の成型培土又は被覆成型培土が配置され、主根張用の成型培土で植物を栽培して生育、成長させて、その植物の根が副根張用の成型培土又は被覆成型培土まで展伸してから、主根張用の成型培土又は被覆成型培土を、副根張り用の成型培土又は被覆成型培土の内側から取り除くか、又は副根張用の成型培土又は被覆成型培土を、主根張用の成型培土又は被覆成型培土の周囲から取り除くことにより、前記根を切断して当該根を刺激して新たな発根を促進させる栽培方法である。
【０００９】
本発明の植物栽培方法は、主根張用の成型培土又は成型培土の外周が被覆材でカバーされた被覆成型培土の外側に、副根張用の成型培土又は被覆成型培土が配置され、この主根張室用の成型培土又は被覆成型培土と副根張室用の成型培土又は被覆成型培土が仕切り材で仕切られ、主根張用の成型培土で植物を栽培して生育、成長させて、その植物の根が副根張用の成型培土又は被覆成型培土まで展伸してから、主根張用の成型培土又は被覆成型培土を、副根張り用の成型培土又は被覆成型培土の内側から取り除くか、又は副根張用の成型培土又は被覆成型培土を、主根張用の成型培土又は被覆成型培土の周囲から取り除くことにより、前記根を切断して当該根を刺激して新たな発根を促進させる栽培方法である。
【００１０】
本発明の植物栽培方法は、副根張用の培土が成型培土又は被覆成型培土を二以上並べて形成され、その内側に主根張室用のバラの培土が収容され、前記主根張室用の成型培土又は被覆成型培土で植物を栽培して生育、成長させ、その植物の根が前記服根張用の培土まで展伸してから、前記副根張用の成型培土又は被覆成型培土を取り除くことにより、前記根を切断して当該根を刺激して新たな発根を促進させる栽培方法である。
【００１１】
本発明の植物栽培方法は、主根張室用の成型培土又は被覆成型培土の周囲に、副根張用のバラの培土が設けられ、前記主根張用の成型培土又は被覆成型培土で植物を栽培して生育、成長させ、その植物の根が前記副根張室のバラの培土まで展伸してから、主根張室の成型培土又は被覆成型培土を副根張り室から取り除くことにより、又は、副根張り用のバラの培土を主根張り用の成型培土又は被覆培土の外周から取り除くことにより、前記根を切断して、当該根を刺激して新たな発根を促進させる栽培方法である。
【００１２】
本発明の成型培土は、ピートモス、赤土といった根張りに適した培土を単独で又は二種以上混合して、ブロック状に成型された成型培土、又はその成型培土を被覆材でカバーしたもの、又はカプセル状の容器内に培土を収容したカプセル培土である。
【００１３】
前記成型培土又は被覆成型培土は、前記栽培方法における主根張室又は副根張室に収容することのできるサイズのものが適する。
【００１４】
前記被覆材、カプセル容器の材料は植物の根が通過可能な材質、通水性、通気性のあるもの、土中で分解され易いもの（最終的に分解されるもの）、例えば、紙や紙製不織布などが適する。前記カプセル容器は土中で分解されない材質のものでもよく、この場合、カプセル内の培土を取り出して、再度培度を詰めて再利用できるものとしてもよい。
【発明の効果】
【００１５】
本発明の植物栽培方法は次の効果がある。
（１）栽培された植物の根を、副根張用の成型培土に進入させるので、植物が主根張用の成型培土又は副根張用の成型培土で根詰まりすることがなく、根詰まりによる各種弊害が一掃される。また、根張りし易くなるため植物の成長に適し、根が安定する。
（２）展伸後に副根張用の成型培土を主根張用の成型培土から分離したり、副根張用の成型培土を主根張用の成型培土から分離したりするだけで、根を適度に切断（根切り）できるので、新たな根の発育（発根）が促進される。
【００１６】
本発明の成型培土、カプセル培土は次のような効果がある。
（１）ブロック状、カプセル状であるため栽培容器の副根張室に手軽にセットでき、培土の入替えを容易且つ迅速に行うことができ、作業性が向上する。
（２）植物の根が通過可能な被覆材でカバーすれば、培土が型崩れしにくくなるので取り扱い易く作業性がよい。カプセル培土の場合も同様の効果がある。
（３）成型培土の被覆材や、カプセル培土のカプセル容器を土中で分解される不織布製や紙製などとすれば、被覆材が分解した後は培土が崩れ易くなるのでその培土を再利用し易い。また、分解した被覆材が土に帰るため食物連鎖が容易になり、環境に優しい培土となる。
【図面の簡単な説明】
【００１７】
【図１】（ａ）は植物栽培状態の一例を示す斜視説明図、（ｂ）は一方の副根張室の外壁を取外した状態を示す斜視説明図。
【図２】（ａ）は底材が横幅方向中央に向けてＶ字状に傾斜している場合の縦断面図、（ｂ）は底材が横幅方向外側に向けてヘの字状に傾斜している場合の縦断面図、（ｃ）は底材が横幅方向一方側に向けて傾斜している場合の縦断面図。
【図３】仕切り材を網にし、副根張室を小室に区画し、外壁を小室ごとに区画した栽培容器の斜視図。
【図４】（ａ）は仕切り材を孔あき板にし、副根張室を小室に区画し、外壁を小室ごとに区画し、小室に成型培土を出し入れできるようにした栽培容器の斜視図、（ｂ）は仕切り材を孔あき板にし、副根張室に成型培土を出し入れできるようにした栽培容器の斜視図。
【図５】主根張室と副根張室を別体にした場合の一例を示すものであって、副根張室を主根張室から分離した状態を示す縦断面図。
【図６】主根張室と副根張室を二以上の仕切り材を横に並べて仕切って、仕切り材の間に通過部を設けた場合の斜視説明図。
【図７】（ａ）は主根張室の植物の根が副根張室に進入した状態を示す断面図、（ｂ）は仕切り材の外側に切断具を押し込んで副根張室に進入した根を切断する状態を示す断面図、（ｃ）は切断した根を副根張室内の培土と共に排除した状態を示す断面図、（ｄ）は副根張室に新たな培土を入れた状態を示す断面図。
【図８】（ａ）は主根張室とその外側の副根張室を円形にした場合の斜視図、（ｂ）は主根張室の外側と内側の双方に副根張室を設けた場合の斜視図。
【図９】栽培容器の外壁を取り外して一例に連結配置した場合の説明図。
【図１０】本発明の栽培方法の一例であって、（ａ）はブロック状の主根張培土と副根張培土を並べて植物栽培する方法の説明図、（ｂ）はブロック状の主根張培土と副根張培土を仕切り材で仕切って並べて植物栽培する方法の説明図。
【図１１】本発明の栽培方法の一例であって、（ａ）は容器本体内にブロック状の副根張培土を中央部を囲って配置し、その副根張培土の内側にバラの主根張培土を入れて植物を栽培する方法の説明図、（ｂ）は容器本体の中央部にブロック状の主根張培土を配置し、その外側にバラの副根張培土を入れて植物を栽培する方法の説明図。
【発明を実施するための形態】
【００１８】
（植物栽培方法の実施形態１）
植物栽培方法の実施形態の一例について、図１を参照して説明する。図１の植物栽培方法は、容器本体１内に主根張室４と副根張室５が設けられた栽培容器を使用し、その主根張室４内の培土で植物Ｐを栽培する方法である。図１に示す栽培容器は、容器本体１の外壁２の内側に二枚の仕切り材３を設けて仕切り材３の内側を主根張室４とし、仕切り材３と容器本体１の外壁２との間を副根張室５とし、仕切り材３に通過部６を設けてある。図１では主根張室４内の培土で植物Ｐを栽培して生育、成長させた植物Ｐの根が通過部６を通過して、副根張室５内の培土まで展伸（進入）するようにした栽培方法である。
【００１９】
図１の実施形態は副根張室５が主根張室４の両外側に設けた栽培容器を用いた場合であるが、副根張室５が主根張室４の一方の外側にのみ設けられた栽培容器を用いることもできる。
【００２０】
（植物栽培方法の実施形態２）
植物栽培方法の実施形態の第２の例として図１１（ａ）に示すものは、ブロック状の複数の副根張培土５０を箱状の容器本体１内の中央部を囲って配置し、その副根張培土５０の内側にバラの主根張培土４０を入れ、前記主根張培土４０で栽培した植物の根を副根張培土５０に進入させる栽培方法である。
【００２１】
（植物栽培方法の実施形態３）
植物栽培方法の実施形態の第２の例として図１１（ｂ）に示すものは、ブロック状の複数の主根張培土４０を箱状の容器本体１内の略中央部に配置し、その外周にバラの副根張培土５０を入れ、前記主根張培土４０で栽培した植物の根を副根張培土５０に進入させる栽培方法である。
【００２２】
（植物栽培方法の実施形態４）
植物栽培方法は、図８（ａ）（ｂ）に示すような環状（リング状）の栽培容器を使用し、内側の主根張室４の外側に副根張室５を設け、両根張室の間の仕切り材３に通過部（図示せず）を開口し、主根張室４で栽培した植物Ｐの根がその通過部を通過して副根張室５内の培土に進入できるようにした栽培方法である。リング状の栽培容器を使用する場合、副根張室５は主根張室４の外側又は内側の双方に設けることも、内側だけに設けることもできる。
【００２３】
（植物栽培方法の実施形態５）
植物栽培方法の実施形態の一例について、図１０（ａ）（ｂ）を参照して説明する。この実施形態の植物栽培方法は、トレイ状の容器本体１内にブロック状に成型した主根張培土４０と副根張培土５０を並べ、主根張培土４０で植物Ｐを栽培して生育、成長させた植物Ｐの根が副根張培土５０内に進入するようにした方法である。
【００２４】
図１０では一つの主根張培土４０の外側に形状の異なる副根張培土５０を副数並べてあるが、主根張培土４０の数、形状、大きさ、副根張培土５０の数、形状、大きさ、配置等は図１０に示す以外のものであってもよい。一つの容器本体１内に主根張培土４０を二以上配置した場合は、夫々の主根張培土４０で植物を栽培することができる。
【００２５】
主根張培土４０と副根張培土５０の境目には、図１０（ｂ）のように仕切り材３を配置することもできる。この場合、仕切り材３には植物の根が通過できる通過部を備えたもの、例えば、網材、不織布、孔あきシート等を使用することができる。図１０の主根張培土４０、副根張培土５０は腐植布、紙などの被覆材で被覆したものであってもよい。図１０の主根張培土４０、副根張培土５０は箱状の栽培容器内に配置することもできるが、容器本体１としては浅いトレイのようなものを使用することもできる。主根張培土４０と副根張培土５０の間、隣接する副根張培土５０間に隙間をあけて収容することも密着するように配置することもできる。
【００２６】
（植物栽培方法の実施形態６）
前記した植物栽培方法は、いずれも、栽培当初から、主根張室４と副根張室に培土を入れておいて栽培する方法、主根張培土４０と副根張培土５０を配置しておいて栽培する方法であるが、本発明の植物栽培方法は、主根張室４の培土で植物Ｐを栽培する当初は副根張室５に培土を入れず、植物Ｐが生育、成長して根Ｒが副根張室５の近く又は副根張室５内まで展伸してから副根張室５に培土を入れ、その副根張室５の培土に根Ｒを進入させることもできる。
【００２７】
（本発明における栽培容器の実施形態１）
本発明における栽培容器の実施形態の一例について図面を参照して説明する。本発明の栽培容器は円形、楕円形、星型等のどのような形状であってもよいが、図１〜図７の実施形態は横長箱状の場合、図８は円形（リング状）の場合である。図１〜図７の栽培容器は主根張室４と副根張室５を備えている。本発明では主根張室４の両外側に副根張室５を設けてあるが、本発明では片外側のみに設けることもできる。図８（ａ）はリング状の主根張室４の外周囲にリング状の副根張室５を同心円状に設けた場合、図８（ｂ）はリング状の主根張室４の外周と内周の双方にリング状の副根張室５を同心円状に設けてある。
【００２８】
図１（ａ）に示す栽培容器は、紙、樹脂、ＦＲＰ、ＳＵＳといった各種材質製の横長箱状であり、容器本体１の外壁２の内側に二枚の仕切り材３を設けて、仕切り材３の内側を主根張室４とし、仕切り材３と容器本体１の外壁２との間を副根張室５とし、仕切り材３に通過部６を設けてある。図１（ａ）では仕切り材３と通過部６を見易くするため、片側の副根張室５には培土を入れずに片側にだけ培土を入れた状態を示してある。通過部６の一例として図１（ａ）に示すものは下端開口の縦長溝であり、それを数本開口してあるが、本発明の通過部６は他の形状、例えば縦長角孔、丸穴、横長孔等であってもよく、その数、配列、間隔等も根が通過し易くなるように任意に設計することができる。この栽培容器は図１（ｂ）に示すように容器本体１の側壁９の内面にガイド溝１３を縦向きに形成して、そのガイド溝１３に沿って副根張室５の外壁２を抜き差し（着脱）できるようにしてある。外壁２は固定式であってもよい。
【００２９】
主根張室４は、図２（ａ）に示すように底材８と、容器本体１内に対向配置された二枚の仕切り材３と、容器本体１の二枚の側壁９（図１）で囲われており、その内部空間に培土を入れて植物Ｐを栽培できるようにしてある。仕切り材３には、例えば、図１（ｂ）に示すような縦長孔を備えた板材、図３に示すような網材、図４（ａ）（ｂ）に示すような丸孔を備えた板材、図示しないエキスパンドメタル等を使用することができる。図１（ｂ）の場合は縦長孔が、図３の場合は網目が、図４（ａ）（ｂ）の場合は丸孔が、エキスパンドメタルの場合はその網目が通過部６となる。培土は、植物栽培に必要な性能や目的を備えていれば、汎用の培土を使用することも、新たな培土を使用することもできる。
【００３０】
図１では主根張室４の両外側に副根張室５が設けられている。夫々の副根張室５は図１（ａ）に示すように底材８と仕切り材３と容器本体１の外壁２と二枚の側壁９（図１）で囲われている。副根張室５にも培土を収容することができる。副根張室５の外壁２は通気性のあるものが好ましく、例えば紙製の硬質板材、前面に培土が落ちない程度の微細孔が開口されたパンチングメタルなどを用いることができる。
【００３１】
図１（ａ）（ｂ）に示す栽培容器の底材８は、栽培容器を設置する床面やベッド等の設置面に対して平行に設けられているが、底材８は図２（ａ）に示すように主根張室４の幅方向（図２（ａ）の左右方向）中央部に向けて正面視Ｖ字状の下り傾斜にして、主根張室４内及び副根張室５内の水はけを良くして根腐れを防止できるようにしてある。底材８の傾斜方向最下部にドレイン７を設けておけば底材８に溜まった水抜きができる。底材８は排水に適する傾斜方向、傾斜角度、形状であれば図示した以外であってもよく、例えば、図２（ｂ）に示すように底面をヘの字状（主根張室４の横幅方向中央側から両副根張室の外壁２側に向けてヘの字状）にして、両側面（外壁２側）から余分な水分を排水可能とすることもできる。底材８は図２（ｃ）のように横幅方向一方側に傾斜させておくこともできる。底材８は培土が落下しない程度の細かな孔や目を備えた板材、網材等、通気性の良いものを用いることもできる。この場合、底材８は任意方向、任意角度に傾斜させることもできるが、傾斜させなくてもよい。底材８にも通気用、通水用の開口部（孔や溝等を）を設けることもできる。底材８は全部又は一部を着脱可能とすることもできる。
【００３２】
前記副根張室５は図３に示すようにその内部を区画材１０で二以上の小室１１に区画することもできる。その区画数は二個又は四個以上など、目的に応じ任意の数とすることができる。前記区画材１０は取り外し式とすることもでき、図３に示す栽培容器は副根張室５を縦方向に区画してあるが、横方向に区画したり、縦方向と横方向に交互に区画したり、適宜に区画することができる。各小室１１の外壁２は個別に脱着できるようにしてあるが、外壁２は全ての小室１１を一度に閉塞できるサイズの一枚とすることもできる。
【００３３】
図４（ａ）に示す栽培容器の基本的な構造は、副根張室５を小室に区画し、外壁２を小室１１ごとに区画した図３に示す栽培容器と同様である。異なるのは、仕切り材３を孔あき板にしたこと、小室１１に成型培土１２を出し入れできるようにしたことである。同図（ｂ）に示す栽培容器の基本的な構造は、図１（ａ）（ｂ）に示す栽培容器と同じである。異なるのは、仕切り材３を孔あき板にしたこと、副根張室５に成型培土１２を出し入れできるようにしたことである。成型培土１２は汎用の培土、例えば、ピートモスや赤土等の根張に適した培土を単独で又は二種以上混合して、副根張室５内に収容可能な形状、サイズのブロック状に成型したものである。この場合、ブロック状に成型した培土を被覆材１４でカバーすることもできる。被覆材１４には通気性があり、土中で分解される性質の紙製のフィルム、シート、不織布等を使用するのが好ましい。副根張室５を小室１１に区画した場合は、成型培土１２を夫々の小室１１に収容可能なサイズにする。
【００３４】
本発明における栽培容器は、図５に示すように副根張室５と主根張室４を別体として脱着可能とすることもできる。具体的には、副根張室５の底材８に嵌合突起１５ａを設けるとともに、主根張室４の底材８にその嵌合突起１５ａに嵌合可能な嵌合凹部１５ｂを設け、嵌合突起１５ａを嵌合凹部１５ｂに嵌合することで接続でき、嵌合突起１５ａを嵌合凹部１５ｂから抜くことで分離できるようにすることができる。副根張室５と主根張室４は他の手段による脱着式とすることもできる。主根張室４で栽培中の植物Ｐの根Ｒが副根張室５内に進入（展長）して根が詰まったら根切りをし、副根張室５を主根張室４から取外して、培土の入替えを行うことができる。
【００３５】
図１では底材８の底面の長手方向両下端にＬ字状の細長板状の支持部１７が取り付けられて、支持部１７を設置面に設置すると底材８の底面が設置面から離れて（浮いて）、設置面と設置面との間に底側空間Ｓができるようにしてある。また、図１では支持部１７の長手方向両端部の下には上向きコ字状の補強板１６を取付けて支持部１７及び底材８を補強してある。この補強板１６は細長であり両端の上向きに突出する受部１６ａが左右の支持部１７の外側に宛がわれて容器本体１に固定されて、支持部１７が外側に広がる（変形する）のを防止することもできるようにしてある。図１の底側空間Ｓには、例えば暖房用或いは冷却用の配管を敷設することができる。支持部１７、補強板１６は他の形状や構造であってもよく、例えば角パイプやブロック等であってもよい。
【００３６】
前記支持部１７には、二以上の栽培容器を連結する際に使用可能な孔状の連結部１８が設けられている。例えば、二つの栽培容器を連結する場合、両栽培容器の連結部１８を向い合せ、両連結部１８にボルトを差し込み、そのボルトをナットで固定することによって、両者を連結することができる。連結部１８はこれ以外の機構、方式であってもよく、個々の栽培容器にフックや他の構造の係止具を取り付けて、連結する二つの栽培容器の係止具を互いに係止することにより連結でき、その係止を外すことにより分離できるものであってもよい。連結部１８は支持部１７以外に設けることもできる。栽培容器は図９のように長手方向両側の側壁を取り外して連結することもできる。可能であれば図９の横方向（左右）に並べて連結することもできる。
【００３７】
（本発明における栽培容器の実施形態２）
本発明における栽培容器の他の実施形態を、図６を参照して説明する。図６の栽培容器の基本構造は図１（ａ）（ｂ）に示す栽培容器と同様である。異なるのは、主根張室４と副根張室５とを二枚以上の仕切り材３を間隔をあけて配置して仕切り、夫々の仕切り材３の隙間を通過部６としたことである。主根張室４内で栽培した植物Ｐの根Ｒは通過部６を通過して副根張室５内に進入できるようにしてある。この場合、夫々の仕切り材３には、スリット、網目、貫通孔などの通過部６を備えたものを用いることもできるが、通過部６を備えていないものを用いることもできる。この実施形態では、二枚以上の仕切り材３が縦向きに配置されているが、二以上の仕切り材３は横向きにして高さ方向に間隔をあけて配置することもできる。この場合、仕切り材３は容器本体１の上下方向にスライドさせて出し入れ可能とすることも、長手方向両端側から横方向にスライドさせて出し入れ可能とすることもできる。
【００３８】
（本発明における栽培容器の実施形態３）
前記した本発明における栽培容器の実施形態１、２では、主根張室４が横長箱型であり、その両外側に副根張室５を設けてあるが、副根張室５はいずれか一方にのみ設けることも、同一方向に二以上設けることもできる。
【００３９】
（本発明における栽培容器の実施形態４）
本発明における栽培容器の他の実施形態を、図８（ａ）を参照して説明する。この栽培容器は主根張室４が有底円筒状（リング状）であり、その外側（外周）に有底円筒状の副根張室５を設けたものであるが、副根張室５をリング方向に二以上の分割構造にすることができるなど、他の構造は基本的には実施形態１、２と同じである。
【００４０】
（本発明における栽培容器の実施形態５）
本発明における栽培容器の他の実施形態を、図８（ｂ）を参照して説明する。この栽培容器は主根張室４が有底円筒状であり、その外側（外周）と内側（内周）に有底円筒状の副根張室５を設けたものであるが、他の構造は基本的には実施形態１、２と同じである。
【００４１】
（本発明における栽培容器の実施形態６）
本発明における栽培容器の実施形態を、図１０（ａ）を参照して説明する。図１０（ａ）の本発明における栽培容器は容器本体１としてトレイ状のものを使用し、その上に、植物Ｐを栽培可能なブロック状に成型された主根張培土４０が配置され、その四方外周にブロック状に成型された副根張培土５０を配置して、主根張培土４０で栽培されて生育、成長した植物Ｐの根が副根張培土５０に展伸できるようにしたものである。副根張培土５０の配置は図１０（ａ）以外の配置とすることもできる。いずれの配置の場合も、副根張培土５０は主根張培土４０の外側に二以上設けて、根詰まりをブロック単位で細かく管理できるようにするのが望ましい。主根張培土４０と副根張培土５０、又は副根張培土５０と副根張培土５０は、間隔をあけて収容することもできるが、互いに密着するように配置することもできる。
【００４２】
主根張培土４０と副根張培土５０のブロックは被覆材でカバーされたものでも良く、カバーされないものでも良い。副根張培土５０は形状又はサイズが同じもの又は異なるものでもよい。主根張培土４０の四周に副根張培土５０が配置される場合は、主根張培土４０はばらのものであってもよい。
【００４３】
（本発明における栽培容器の実施形態７）
図１０（ｂ）の本発明における栽培容器は容器本体１としてトレイ状のものを使用し、その内部に縦横に仕切り材３を入れて容器本体１内を多数の空間に区画し、それら空間にブロック状に成型された培土を入れ、そのうちの一部の空間を主根張室４とし、その外側の空間を副根張室５とすることもできる。培土はバラのものをいれてもよい。仕切り材３は薄板状、シート状、フィルム状といった各種厚さのものを使用することができ、材質も容器本体１の材質と同じものでも他のもの、例えば、紙、樹脂等でもよい。透水性、通気性のあるものが適する。
【００４４】
（培土の実施形態）
本発明の主根張室４、副根張室５に収容する培土は、栽培に必要な性能や目的を備えた汎用の或いは新規な培土を使用することができる。培土はバラでも、ブロック状に成型したもの（成型培土、ブロック培土）でも、カプセルのような容器にバラ或いはブロック状の培土を収容したもの（カプセル培土）であってもよい。カプセル形状の容器は土中で分解されない材質のものでもよい。この場合、使用後にカプセル内の培土を取り出して、そのカプセルに新しい培土を詰めて再利用できるようにしてもよい。
【００４５】
（成型培土の実施形態）
本発明の成型培土１２は前記栽培容器の主根張室４、副根張室５に収容できる培土であって、栽培に必要な性能や目的を備えた汎用の或いは新規な培土を副根張室５に収容可能なブロック状に成型したものである。成型培土１２はブロック状のままでも良いが、その外周を被覆材１４で被覆して型崩れしないようにすることもできる。被覆材１４には植物Ｐの根Ｒが進入可能な孔、目、隙間等の通過部６を備えたもの、通水性や通気性を備えたもの、土中で分解される紙製のフィルム、シート、不織布等が適する。被覆材１４は土中で分解されない材質のものでもよい。
【００４６】
本発明の成型培土１２のブロック形状、サイズは、小室１１に区画した又は区画しない副根張室５内に収容できるように、夫々の副根張室５の形状、サイズに合わせる。
【００４７】
（使用例）
本発明における栽培容器の使用例について説明する。この使用例は、副根張室５が小室１１に区画されていない場合の例であるが、小室１１に区画されている場合も同様である。
（１）主根張室４に培土を入れる。培土は汎用のものを使用することができる。副根張室５には、主根張室４で栽培される植物Ｐの根Ｒが伸びるまでは入れなくてもよい。副根張室５に入れる培土は主根張室４に入れる培土と同じものであっても異なるものであってもよい。また、前記した成型培土１２であってもよい。
（２）主根張室４にナス、ピーマン、マンゴーといった植物Ｐの種を播種したり、苗を定植したりして栽培する。
（３）生育し、成長した植物Ｐの根Ｒは主根張室４から通過部６を通って副根張室５に進入し、副根張室５でさらに張る（図７（ａ））。
（４）図７（ｂ）のように植物Ｐの根Ｒが副根張室５内で根詰まりしたら、図７のように副根張室５の上方から仕切り材３の外側に切断具Ｃを押し込んで副根張室５内の根Ｒを培土と共に切断する。切断後、又は切断前に図７に示すように容器本体１の外壁２を引き抜いて取り外し、切断した培土と根Ｒを副根張室５から排出する（取り除く）。
（５）図７（ｃ）のように前記外壁２を戻してから、空の副根張室５内に新たな培土を入れる。この場合、成型培土１２を入れることもできる。
【００４８】
副根張室５内の根Ｒの切断及び培土の入替えは両外側の副根張室５について同時に行うこともできるが、根Ｒが切断され過ぎて植物Ｐの生育が阻害されないようにするためには、時期をずらすなど生育の状態を見極めながら行うことが望ましい。前記使用例は副根張室５が小室１１に区画されている場合も同様である。また、栽培容器が図８（ａ）（ｂ）に示すような円形状の場合も同様である。
【００４９】
栽培容器は、上記使用例以外の方法や手順で使用することもできる。
【００５０】
栽培容器は各種サイズを用意して、植物Ｐの播種用、育苗用、栽培（定植）用といった各種用途に使用することができる。本発明の栽培容器は構造が簡潔であることから根切りや土の入替えなどを機械化することも可能である。成型培土１２を使用する場合は特に機械化し易い。可能であれば、主根張室４にも成型培土１２を使用することができる。
【符号の説明】
【００５１】
１    容器本体
２    外壁
３    仕切り材
４    主根張室
５    副根張室
６    通過部
７    ドレイン
８    底材
９    側壁
１０  区画材
１１  小室
１２  成型培土
１３  ガイド溝
１４  被覆材
１５ａ  嵌合突起
１５ｂ  嵌合凹部
１６  補強板
１６ａ  受部
１７  支持部
１８  連結部
４０  主根張培土
５０  副根張培土
Ｃ    切断具
Ｐ    植物
Ｒ    （植物の）根
Ｓ    底側空間
【図１】
2014217383.tif 000003
【図２】
2014217383.tif 000004
【図３】
2014217383.tif 000005
【図４】
2014217383.tif 000006
【図５】
2014217383.tif 000007
【図６】
2014217383.tif 000008
【図７】
2014217383.tif 000009
【図８】
2014217383.tif 000010
【図９】
2014217383.tif 000011
【図１０】
2014217383.tif 000012
【図１１】
2014217383.tif 000013